(57)【要約】  本発明は、シート状の記録媒体を搬送する媒体搬送装置において、搬送装置のメンテナンスの容易化を図るものである。  回転可能な搬送ローラ（９）と、搬送ローラ（９）と共に記録媒体を挟み込んだ状態で回転することで記録媒体を搬送する加圧ローラユニット（８）を有する搬送装置（１０）であって、該加圧ローラユニット（８）は、ローラ軸支部（１５）とローラ支持部（１６）に分かれ、ローラ軸支部（１５）をローラ支持部（１６）に着脱させる構造とする。加圧ローラユニット（８）に対して、記録媒体の幅方向すなわちキャリッジ（４）の走査方向に外力が加わると、ローラ軸支部（１５）が外れやすく、搬送ローラ（９）方向へ外力が加わっても外れ難くすることで、メンテナンス時間を短縮できる。
2010058658.tif 000002
【特許請求の範囲】
【請求項１】
記録媒体の下面と接して前記記録媒体を搬送する搬送ローラと、前記搬送ローラと対向配置されて前記記録媒体の上面と接する加圧ローラを有する加圧ローラユニットと、前記加圧ローラを前記搬送ローラに向けて加圧するために前記加圧ローラユニットに付勢する付勢部材と、を備えた搬送装置であって、
前記加圧ローラユニットは、前記加圧ローラの回転軸を回動自在に支持するローラ軸支部と、前記ローラ軸支部と着脱自在に接続するローラ支持部とを少なくとも有し、
前記ローラ軸支部は、前記加圧ローラを前記搬送ローラに向けて加圧する方向及び該方向に抗する方向に移動を規制する規制部を有し、前記規制部は前記ローラ軸支部が前記ローラ支持部と接続されたときに前記ローラ支持部に接することを特徴とする搬送装置。
【請求項２】
前記加圧ローラユニットは前記記録媒体の幅方向に複数配置され、夫々の前記加圧ローラユニットは、前記付勢部材の付勢に抗して前記加圧ローラを前記搬送ローラから離隔させて前記搬送ローラに対する前記加圧ローラの加圧を開放する離隔機構をさらに有し、前記加圧ローラが前記搬送ローラから離隔する状態である場合に、前記ローラ支持部に対して前記ローラ軸支部を前記記録媒体の搬送方向と略並行の方向に挿抜可能に、前記規制部が移動を規制することを特徴とする請求項１に記載の搬送装置。
【請求項３】
前記ローラ軸支部は、前記ローラ支持部に摺接するスライド板を更に有し、前記スライド板の略先端には前記ローラ支持部に設けられた系止孔に系止する系止突起を有することを特徴とする請求項１に記載の搬送装置。
【請求項４】
請求項１に記載の搬送装置と、インクを前記記録媒体へ吐出するインクジェットヘッドと、該インクジェットヘッド搭載し前記記録媒体の搬送方向に対して直行する方向に走査するキャリッジとを有し、
前記搬送装置によって前記記録媒体を間歇搬送しながら前記インクジェットヘッドにより前記記録媒体上へ画像を形成することを特徴とするプリンタ。
【請求項５】
前記加圧ローラユニットは少なくとも側面の一部に補強部を有することを特徴と請求項１に記載の搬送装置。
【請求項６】
前記加圧ローラユニットは前記記録媒体の幅方向に複数配置され、
夫々の前記加圧ローラユニットの両端に前記加圧ローラユニットの側面に沿って配置された補強ユニットを有することを特徴とする請求項４に記載のプリンタ。
【発明の詳細な説明】
【技術分野】
【０００１】
本発明は、記録媒体の搬送装置、及び、この搬送装置を備えたプリンタに関する。
【背景技術】
【０００２】
従来、記録媒体にインク滴を吐出して文字や画像等の印字記録をするインクジェットプリンタが提供されている。この種のプリンタは、記録媒体を搬送する搬送装置と、この記録媒体の搬送方向と直交する幅方向にスライド移動しながら記録媒体に印字等の印字記録をしていくインクジェットヘッドを搭載したキャリッジを備えている。搬送装置は、主として、記録媒体を搬送させる搬送ローラと、この搬送ローラと対向配置され記録媒体を搬送ローラに向けて押し当てるように加圧する加圧ローラとを備えてなる。この搬送装置と隣接された箇所には、記録媒体の幅方向に延びるように配置され、記録媒体を支持する平板状のプラテンが設けられている。プリンタは、このプラテンに支持された記録媒体に対して、キャリッジを走査すると共にインクジェットヘッドからインクを吐出し、画像を形成する。【０００３】
例えば、特開２００７−０９８８９１号公報に記載の記録装置では、加圧ローラは、記録媒体を加圧する状態と、記録媒体から離隔することで加圧しない状態との異なる状態を、強制離隔操作部によって作ることができる。このように構成された記録装置では、皺が生じた部分の加圧ローラを解放し、皺を直し、再度加圧ローラを加圧させて印字をすることで、記録媒体に生じたし皺を容易に直しながら印字することができる。【０００４】
加圧と開放が可能な従来の加圧ローラユニットについて図４を用いて説明する。図４は加圧ローラユニットの側面図である。加圧ローラ４０１はローラ支持部４０２に回動可能に取り付けられている。ユニット本体４０３はプリンタ筐体に固定される。ユニット本体４０３とローラ支持部４０２とは、支持軸４０４、凸部４０５、バネ４０６によって可動可能に取り付けられている。バネ４０６はローラ支持部４０２の端部とユニット本体４０３の端部を近づける方向に力を加えるバネである。支持軸４０４はローラ支持部４０２を回動可能に軸支している。スライド板４０７は、凸部４０５と当接する２つの当接面を備え、その当接面は高さが異なる。すなわち第１当接面４０８と第２当接面４０９である。ローラ支持部４０２は、支持軸４０４と第１当接面４０８または第２当接面４０９とバネ４０６によって可動可能に、ユニット本体４０３に取り付けられている。スライド板４０７をスライドさせることで、凸部４０５と当接させる面を、第１当接面４０８か第２当接面４０９のどちらにするかを選択できる。加圧ローラは、凸部４０５が第１当接面４０８に当接面する場合は加圧し、凸部４０５が第２当接面４０９に当接する場合は開放される、２状態を有する構造となっている。
【先行技術文献】
【特許文献】
【０００５】
【特許文献１】特開２００７−０９８８９１号公報
【発明の概要】
【発明が解決しようとする課題】
【０００６】
しかしながら、上述の記録装置によって記録される被記録材にあっては、想定以上の皺や波打ちなどの異常搬送が生じた場合に、キャリッジが急に停止できずにジャムを生じる場合がある。このときに、記録媒体は加圧ローラとキャリッジに絡まり、印字ができなくなる。また、ジャムからの復旧には大変な作業が必要となり、場合によっては、加圧ローラや記録媒体の破損が生じる。また、支持部４０２はバネ４０６と支持軸４０４とで取り付けられているので、取り付け、取り外しには、装置内の狭い場所で、多数の場所を操作しながら行わなければならず、作業が容易でない。【０００７】
本発明は、このような事情に鑑みなされたものであって、搬送ローラと加圧ローラとによって挟み込まれる印字記録される記録媒体に発生した皺を好ましく伸ばすことが可能であり、この記録媒体に発生した皺を好ましく伸ばすことによって印字記録のズレを好ましく解消することが可能なプリンタを提供する。さらに、ジャムが生じたときに部品の破損を防止し、ジャムからの復旧を容易にするプリンタを提供する。
【課題を解決するための手段】
【０００８】
本発明は、上記課題を解決するために、以下の手段の搬送装置及びプリンタを提供する。【０００９】
本発明の搬送措置は、記録媒体の下面と接して前記記録媒体を搬送する搬送ローラと、前記搬送ローラと対向配置されて前記記録媒体の上面と接する加圧ローラを有する加圧ローラユニットと、前記加圧ローラを前記搬送ローラに向けて加圧するために前記加圧ローラユニットに付勢する付勢部材と、を備えた搬送装置であって、前記加圧ローラユニットは、前記加圧ローラの回転軸を回動自在に支持するローラ軸支部と、前記ローラ軸支部と着脱自在に接続するローラ支持部とを少なくとも有し、前記ローラ軸支部は、前記加圧ローラを前記搬送ローラに向けて加圧する方向及び該方向に抗する方向に移動を規制する規制部を有し、前記規制部は前記ローラ軸支部が前記ローラ支持部と接続されたときに前記ローラ支持部に接することを特徴とする。【００１０】
さらに、前記加圧ローラユニットは前記記録媒体の幅方向に複数配置され、夫々の前記加圧ローラユニットは、前記付勢部材の付勢に抗して前記加圧ローラを前記搬送ローラから離隔させて前記搬送ローラに対する前記加圧ローラの加圧を開放する離隔機構をさらに有し、前記加圧ローラが前記搬送ローラから離隔する状態である場合に、前記ローラ支持部に対して前記ローラ軸支部を前記記録媒体の搬送方向と略並行の方向に挿抜可能に、前記規制部が移動を規制することを特徴とすることができる。【００１１】
また、前記ローラ軸支部は、前記ローラ支持部に摺接するスライド板を更に有し、前記スライド板の略先端には前記ローラ支持部に設けられた系止孔に系止する系止突起を有することを特徴とすることもできる。【００１２】
本発明のプリンタは、上述の搬送装置と、インクを前記記録媒体へ吐出するインクジェットヘッドと、該インクジェットヘッド搭載し前記記録媒体の搬送方向に対して直行する方向に走査するキャリッジとを有し、前記搬送装置によって前記記録媒体を間歇搬送しながら前記インクジェットヘッドにより前記記録媒体上へ画像を形成することを特徴とする。
【発明の効果】
【００１３】
本発明に係る搬送装置及びプリンタによれば、搬送ローラと加圧ローラとによって挟み込まれる印字記録される記録媒体に発生した皺を好ましく伸ばすことができる。この記録媒体に発生した皺を好ましく伸ばすことによって印字記録のズレを好ましく解消することができる。さらに、ジャムからの復旧が容易にできる。また、ジャム時の部品の破損を防止することができる。この搬送装置およびプリンタによれば、メンテナンス時間の短縮することができる。
【図面の簡単な説明】
【００１４】
【図１】本発明に係るプリンタの一例とされるインクジェットプリンタの斜視図。
【図２】加圧ローラユニットの結合状態の斜視図である。
【図３】加圧ローラユニットの分離状態の斜視図である。
【図４】従来の加圧ローラユニットの側面図である。
【図５】加圧ローラユニットと補強ユニットの配置図である。
【図６】加圧ローラユニットの別の形態を示した斜視図である。
【発明を実施するための形態】
【００１５】
以下、本発明に係る搬送装置及びプリンタの実施形態について、図を参照しながら説明する。なお、図１は本発明に係るプリンタの一例とされるインクジェットプリンタの斜視図である。図２は加圧ローラユニットの結合状態の斜視図である。図３は加圧ローラユニットの分離状態の斜視図である。一部分を示す概略斜視図である。図１から図３を用いて、インクジェットプリンタ１及び加圧ローラユニット８の構成について説明する。
【００１６】
本発明に係るプリンタの一例とされるインクジェットプリンタ１を、図１を用いて説明する。このインクジェットプリンタ１は、シート状の記録媒体を搬送しながら印字記録していくものである。記録媒体としては、紙、シート状のプラスチック、布などがある。インクジェットプリンタ１は、大まかに、基台１３と、この基台１３に設けられた、記録媒体を搬送する搬送装置１０、記録媒体に印字記録する印字記録装置２とを具備して構成されている。
【００１７】
搬送装置１０は、モータの回転駆動を受けて回転する搬送ローラ９と、この搬送ローラ９を加圧する加圧ローラユニット８を少なくとも備えて構成される。なお、この搬送ローラ９と加圧ローラユニット８との間には、記録媒体が挟まり、搬送される。また、この搬送装置１０と隣接される箇所においては、記録媒体を支持するプラテン１２が設けられている。このプラテン１２は、印字記録装置２によって記録媒体に印字記録する箇所となっている。また、このプラテン１２の下には、図示しないが、このプラテン１２を加熱するためのヒータが設けられている。このヒータによって、記録媒体は加熱され、記録媒体に吐出されたインクの定着を促進する。また、搬送ローラ９とプラテン１２とは、記録媒体が搬送される方向と直交する方向に延びるように基台１３に設けられている。また、搬送ローラ９と加圧ローラユニット８とを対にして、プラテン１２の隣接した箇所の同一軸線上に所定間隔、例えば８７．６５ｍｍの間隔、で１９組配置されている。
【００１８】
印字記録装置２は、大まかに、記録媒体にインク滴を吐出して記録を行うインクジェットヘッド３と、このインクジェットヘッド３を収容するキャリッジ４と、このキャリッジ４に連結する搬送ベルト１１と、この搬送ベルト１１を移動させる駆動プーリ５と従動プーリ６と、この駆動プーリ５を回転駆動させる不図示の駆動モータと、このキャリッジ４を記録媒体の搬送方向に直交する方向への走査を案内するガイドレール７とを備えて構成されている。また、この搬送ベルト１１とガイドレール７とは、プラテン１２と同様に、記録媒体が搬送される方向と直交する方向に延びるように基台１３に設けられている。これによって、キャリッジ４は、記録媒体が搬送される方向と直交する方向、すなわち図中双方向矢印ＡＢ方向にスライド移動するようになっている。
【００１９】
加圧ローラユニット８は、記録媒体を搬送する搬送ローラ９ごとに対をなすように配設されるものである。搬送ローラ９に向けて記録媒体を加圧しながら、ローラ１４が従動回転する。つまり、記録媒体は、下面は搬送ローラ９と接し、上面は加圧ローラユニット８のローラ１４と接する。また、この加圧ローラユニット８は、プリンタ１の基台１３に固定して取り付けられる。
【００２０】
加圧ローラユニット８は、ローラ１４と、ローラ１４の回転軸を回動可能に支持するローラ軸支部１５、ローラ軸支部１５と着脱可能なローラ支持部１６を備える。ローラ軸支部１５には軸孔１７が設けられ、ローラ１４の両端に設けられた略円柱状の凸部が軸孔１７に挿入され、ローラ１４が回動可能に軸支される。
【００２１】
ローラ支持部１６は、第１当接部１８と第２当接部１９を備えている。ローラ支持部１６の一端から伸び出た突起部に、バネを掛ける凹部２０を備える。また、ローラ支持部１６の両サイドの中央からややローラ１４寄りに、軸受２１を夫々のサイドに備える。基台１３は、基台１３に加圧ローラユニット８を固定するため、不図示ではあるが、第１当接部１８または第２当接部１９のどちらかに当接する第３当接部を備えるスライド板、バネを掛ける凹部２０に掛けられるバネの他端を掛ける部材、軸受２１に嵌る軸が備わっている。そしてこれらによって、基台１３に遥動可能に加圧ローラユニット８を取り付けることができる。すなわち、軸と軸受２１によって、加圧ローラユニット８を回動可能に支持する。そして、バネを掛ける凹部２０にバネの一端を掛け、バネの他端をバネの他端を掛ける部材に掛けることでローラ１４を一定の方向に加圧する。そして、スライド板をスライドさせ、第３当接部を第１当接部１８に当接させるか第２当接部１９に当接させるかによって、ローラ１４を搬送ローラ９に接触させて加圧状態にするか、あるいは開放状態にするかの選択をする。また、加圧ローラユニット８を搬送ローラ９へ加圧及び開放する機構は従来技術と同様の構成が可能である。
【００２２】
ローラ支持部１６には、両サイドに第１側壁３３及び第２側壁３６、さらにリブ状に第１内壁３４、第２内壁３５が備わり、これらの下面側すなわち記録媒体が搬送される側は中空となり、上面側は上面板４２が備わっている。第１側壁３３、第２側壁３６、第１内壁３４、第２内壁３５には夫々凹状の系止溝２３が設けられ、後述する系止突起２２と嵌合する。第１側壁３３と第１内壁３４に挟まれた部分の終端には第１スライド板系止孔３８が設けられ、後述する第１スライド板２６の第１系止部３０を系止する。同様に第２側壁３６と第２内壁３５に挟まれた部分の終端には第２スライド板系止孔３９が設けられ、後述する第２スライド板２８の第２系止部３２を系止する。上面板４２の第１内壁３４と第２内壁３５の間に中央系止孔２５が設けられ、後述する中央系止突起２４が嵌る。中央系止孔２５は、第１側壁３３と第２側壁３６の中央部分に設けられ、それら側壁方向長い楕円形状の孔である。
【００２３】
ローラ軸支部１５には、第１スライド板２６、第２スライド板２８、中央スライド板２７が備わっている。第１スライド板２６は、第１スライド板側壁２９を有するＬ字型状の板の突起であり、先端部に第１系止部３０を有する。第２スライド板２８は、第２スライド板側壁３１を有するＬ字型状の板の突起であり、先端部に第２系止部３２を有する。中央スライド板２７は板状の突起で、略先端部に中央系止突起２４を有する。中央系止突起２４の先端周部にはテーパー部３７を有する。第１スライド板側壁２９及び第２スライド板側壁３１の先端部はテーパー部３８を有する。
【００２４】
第１系止部３０の先端周部はテーパー部４０を有する。第２系止部３２の先端周部はテーパー部４１を有する。第１スライド板２６、中央スライド板２７および第２スライド板２８の間、及びローラ軸支部１５の両サイドには系止突起２２が備わり、夫々対応する系止溝２３に嵌合する。系止突起２２は４つあるが、そのうち３つは図上では部品の影で見えない。
【００２５】
また、第１スライド板２６、第２スライド板２８、中央スライド板２７は夫々突起状に形成されているので、突起の根元に対して先端が撓む構造となっている。
【００２６】
次に、ローラ軸支部１５とローラ支持部１６の着脱について説明する。
【００２７】
系止突起２２は挿抜方向に長く、さらに系止溝２３に嵌合する。さらに、系止溝２３は上側及び下側には壁があるがキャリッジ４の走査方向には壁が無い。これにより、キャリッジ４の走査方向には外れやすくなるが、記録媒体の搬送方向に垂直方向、すなわち搬送ローラ９に加圧する方向及びそれに抗する方向には移動が規制されるので外れにくい。
【００２８】
さらに、第１スライド板２６、第２スライド板２８、中央スライド板２７は夫々上面４１と接する。第１スライド板側壁２９の外側面と第１側壁３３の内側面および第２スライド板側壁３１の外側面と第２側壁３６の内側面は、微小間隔で隔てられ隣接している。これにより、搬送ローラ９に加圧する方向に対して、移動が規制される。そして、キャリッジ４の走査方向に対しては、微小に移動することができる。
【００２９】
第１系止部３０の下面側と第１スライド板系止孔３８の側面が接し、第２系止部３２の下面側と第２スライド板系止孔３９の側面が接している。これにより、搬送ローラ９に加圧する方向に抗する方向に対して、移動が規制される。
【００３０】
第１系止部３０と第１スライド板系止孔３８のキャリッジ４の走査方向には隙間が設けられている。第２系止部３２と第２スライド板系止孔３９のキャリッジ４の走査方向には隙間が設けられている。第１系止部３０と第２系止部３２はキャリッジ４の走査方向には隙間があるので、移動しやすい。また、第１系止部３０にはテーパー部４０、第２系止部３２にはテーパー部４１があるので、第１系止部３０、第２系止部３２が動き始めると動きやすい。しかし、搬送ローラ９に加圧する方向に対して、移動が規制される。
【００３１】
中央系止孔２５はキャリッジ４の走査方向に長く、中央系止突起２４は円柱状なので、キャリッジ４の走査方向に移動しやすい。中央スライド板２７は撓み、さらに中央系止突起２４はテーパー部３７を有するので、中央系止突起２４が動き始めると動きやすい。また、中央系止突起２４が中央系止孔２５に系止されることで、ローラ軸支部１５をローラ支持部１６に系止することができる。中央スライド板２７が撓まない限り、中央系止突起２４が中央系止孔２５から抜けることは無い。
【００３２】
このような構成によって、基台１３に固定された加圧ローラユニット８が開放状態の場合に、ローラ軸支部１５をローラ支持部１６の上面板４２に沿ってスライド板２６，２７，２８をスライドさせながら、系止突起２３を系止溝２３に嵌合させながら、系止部３０、３２をスライド板系止孔３８，３９へ挿入しながら、系止凸部２４を系止孔２５へ挿入しながら、装着することが容易にできる。すなわち、インクジェットプリンタ１の正面から、加圧ローラユニット８を開放状態にして、記録媒体の搬送方向すなわち、インクジェットプリンタ１の前後方向にローラ軸支部１５をローラ支持部１６に対して挿抜が容易にできる。
【００３３】
ローラ軸支部１５とローラ支持部１６を接続すると、ローラ支持部１６の先端部の全面がローラ軸支部１５に接する。よって、加圧ローラユニット８を搬送ローラ９に加圧する方向及びそれに抗する方向に対しての外力に対しては更に外れ難い構成となる。
【００３４】
また、ローラ軸支部１５を、系止突起２３の長手方向に向かって引き抜く場合は、中央系止突起２４が中央系止孔２５から外れるように中央スライド板２７が撓み、ローラ支持部１６から外すことができる。テーパー部３７があるので、引き抜いたときに、中央スライド板２７が撓み、中央系止突起２４が中央系止孔２５に引っかからずに滑るように抜ける。
【００３５】
ローラ軸支部１５は、ローラ支持部１６との挿抜が容易におこなえるので、ローラ１４の回転不良や汚れたときに、バネ等をはずさず面倒な作業無しに、交換が可能となる。よって機器のメンテナンスの作業効率が向上する。
【００３６】
また、ジャムが発生すると、記録媒体にキャリッジ４が衝突し、その影響で記録媒体が加圧ローラユニット８に絡みつく場合がある。このとき、加圧ローラユニット８へは、キャリッジ４の走査方向からの外力が加わる。この外力によって、ローラ軸支部１５がローラ支持部１６から外れることで、衝撃の緩和と、部品の破損の防止ができる。また、記録媒体が絡みつく部品が少なくなるので、容易に記録媒体を取り除くことができ、さらに、容易に外れたローラ軸支部１５を装着することができる。
【００３７】
ローラ軸支部１５へキャリッジ４の走査方向からの外力が加わった場合、第１スライド板２６あるいは第２スライド板２８が撓み、さらに中央スライド板２７が撓み、中央系止突起２４が中央系止孔２５から外れ、系止突起２３が系止溝２３から外れ、ローラ軸支部１５がローラ支持部１６から抜ける。
【００３８】
ローラ軸支部１５は、搬送ローラ９方向への外力には外れにくく、キャリッジ４の走査方向からの外力によって外れやすい構成となっているので、ジャムなど異常搬送が生じたときに、ローラ軸支部１５はローラ支持部１６から容易に外れる。部品の交換も容易なので機器のメンテナンスの作業効率が向上する。
【００３９】
図５は、加圧ローラユニット８と補強ユニット４３の配置図である。ジャムが発生し、記録媒体が加圧ローラユニット８に当たると、加圧ローラユニット８はローラ支持部１６からローラ軸支部１５が外れ、破損をぼうしできる。しかし、加圧ローラユニット８に記録媒体が当たるということは、少なからずや加圧ローラユニット８に負荷がかかってしまう。そこで、加圧ローラユニット８が配置されている間に、補助ユニット４３を設けることで、加圧ローラユニット８にかかる負荷を減少させることができ、更なる破損の防止が可能である。
【００４０】
図６は、加圧ローラユニットの別の形態を示した斜視図である。ローラ軸支部１５の側面に補強部４５を設ける。補強部４５は、他の部分に比べ肉厚とする。別の形態としては、内部あるいは表面に金属板を配置し、他の部分に比べ強度を上げる。これにより、補強された部分の強度を上げることで、走査方向に加わった外力に対して加圧ローラユニット８が分離するときに、強度の弱いところから撓みなじめるので分離しやすくなる。そのため、破損防止効果が向上する。
【００４１】
ローラ支持部１６の側面に補強部４６を設ける。補強部４６は、他の部分に比べ肉厚とする。別の形態としては、内部あるいは表面に金属板を配置し、他の部分に比べ強度を上げる。これにより、補強された部分の強度を上げることで、走査方向に加わった外力に対して加圧ローラユニット８が分離するときに、強度の弱いところから撓みなじめるので分離しやすくなる。そのため、破損防止効果が向上する。
【００４２】
ローラ支持部１６にテーパー部４４を設ける。テーパー部４４は、ローラ支持部１６とローラ軸支部１５との接する部分の一部に設けられる。テーパー部４４は、通常の加圧時には外れやすくしないため、加圧方向に対しては設けずに、走査方向に設ける。ローラ支持部１６とローラ軸支部１５との間に隙間を空けることで、走査方向にかかる外力に対して他の部分に比べ分離しやすくする。そのため、破損防止効果が向上する。
【００４３】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００４４】
本発明はインクジェットプリンタ等のプリンタに有用である。
【符号の説明】
【００４５】
１  インクジェットプリンタ
２  印字記録装置
８  加圧ローラユニット
９  搬送ローラ
１０  搬送装置
１４  ローラ
１５  ローラ軸支部
１６  ローラ支持部
２２  系止突起
２３  系止溝
【図１】
2010058658.tif 000003
【図２】
2010058658.tif 000004
【図３】
2010058658.tif 000005
【図４】
2010058658.tif 000006
【図５】
2010058658.tif 000007
【図６】
2010058658.tif 000008
【国際調査報告】
2010058658.tif 000009
2010058658.tif 000010
2010058658.tif 000011
2010058658.tif 000012